(57)【要約】【課題】本発明は、人体の経穴に当接して身体活性化の刺激を与える鉱物素材から形成された固形体を設けた全体が小型でハンドバック等に収めて持ち歩き、そして、前記固形体を経穴に押圧し、叩打し又は転動させてマッサージを施す手持ち式の指圧具を提供する。【解決手段】棒状軸部を有し、この棒状軸部の一端側に所望大きさの球状体を一体に有し、人体の経穴に当接して身体活性化の刺激を与える鉱物素材から形成された固形体を前記球状体の所望個所又は棒状軸部の先端に設けてなる。また、前記棒状軸部の他端側には一端側の球状体より小さい球状体を有せしめて前記固形体を設けてなり、前記大小の球状体又は棒状軸部の先端に設けられた前記固形体は、トルマリン石又はチタンからなり、更には、磁石である。【選択図】　　　　図１【図１】
2004033339.tif 000002
【特許請求の範囲】
【請求項１】
棒状軸部を有し、この棒状軸部の一端側に所望大きさの球状体を一体に有し、人体の経穴に当接して身体活性化の刺激を与える鉱物素材から形成された固形体を前記球状体の所望個所又は棒状軸部の先端に設けてなることを特徴とする指圧具。
【請求項２】
棒状軸部を有し、この棒状軸部の一端側に所望大きさの球状体を一体に有し、他端側には一端側の球状体より小さい球状体を一体に有し、人体の経穴に当接して身体活性化の刺激を与える鉱物素材から形成された固形体を一端側の前記球状体及び他端側の球状体のそれぞれ所望個所に設けてなることを特徴とする指圧具。
【請求項３】
人体の経穴に当接して身体活性化の刺激を与える鉱物素材から形成された固形体は、トルマリン石からなる請求項１又は２記載の指圧具。
【請求項４】
人体の経穴に当接して身体活性化の刺激を与える鉱物素材から形成された固形体は、チタンからなる請求項１又は２記載の指圧具。
【請求項５】
人体の経穴に当接して身体活性化の刺激を与える鉱物素材から形成された固形体は、磁石である請求項１又は２記載の指圧具。
【発明の詳細な説明】
【０００１】
【発明の属する技術分野】
本発明は、一般につぼと称せられる経穴に当接して身体活性化の刺激を与える鉱物素材から形成された固形体を設けた全体が小型でハンドバック等に収められる大きさに形成し、前記固形体を経穴に押圧したり、叩打したり、又は転動してマッサージを施したりする手持ち式の指圧具に関するものである。
【０００２】
【従来の技術】
肩こりや痛みなどの解消をはじめ身体の各器官の機能改善を図る手段として、一般につぼと呼ばれる経穴を押圧したり叩打することで刺激を与える指圧が良く知られており，また、磁石を用いて磁力による刺激を与えて血行促進効果を付加して指圧効果を高めることも良く知られている。
【０００３】
身体を叩打して経穴に刺激を与える道具として、棒状握持部の先端に握りこぶし大の球体を一体に有してなる肩叩きと通称される指圧具が良く知られており，また，足裏に刺激を与えるものに、針山構造に形成した足踏み式の指圧具も良く知られている。
【０００４】
更に、磁気を身体に当接維持する道具として、例えば、下着のような衣類に磁石を逢着したものや、ベルト状の物に磁石を固着して身体の胴部、腕、足に巻きつけたり、或いはネックレス状に首に吊り下げたりするものがあり，又は粘着材を用いて皮膚の上に貼着維持するものが普通一般に提供されている。
【０００５】
【発明が解決しようとする課題】
しかしながら、前者は、つぼの周囲を叩打する道具として提供されていて、しかも、棒状握持部の長さが約３００ｍｍ前後と長い。それ故に、背中等の手の届きにくい場所の打撃に適しているとしても、つぼに押し当てて押圧する道具としては、不向きの道具であり，特に，指の付け根の間のような個所の押圧には不向きである。また、棒状握持部が長いために，外出時にハンドバック等の小物入れに収めて持ち歩いて、外出先の何処でも，何時でも気の向いたときの使用には不向きである等の課題があった。
また、足踏み式指圧具も、ハンドバックに忍ばせて持ち歩くには、やや大き目であり、何時でも、何処でも気軽に使える器具とは云えないものである。
【０００６】
また、後者は、磁石を設けた衣類若しくはバンドを着用することは、常に身体に巻きつけていて、長時間を過ごすものであるために、鬱陶しいし、現今のような磁気を帯びた器具、例えばペースメーカーを身につけている人は，磁気障害の発生を常に注意しなければならない等の課題があった。
【０００７】
本発明は、上記の転に鑑みてなされたものであって、その目的とするところは、人体の経穴に当接して身体活性化の刺激を与える鉱物素材から形成された固形体を設けた全体が小型でハンドバック等に収めて持ち歩き、そして、前記固形体を経穴に押圧し、叩打し又は転動させてマッサージを施す手持ち式の指圧具を提供するものである。
【０００８】
【課題を解決するための手段】
上記目的を達成するために、本発明に係る指圧具は、棒状軸部を有し、この棒状軸部の一端側に所望大きさの球状体を一体に有し、人体の経穴に当接して身体活性化の刺激を与える鉱物素材から形成された固形体を前記球状体の所望個所又は棒状軸部の先端に設けてなる。
【０００９】
また、棒状軸部は、一端側に所望大きさの球状体を一体に有し、他端側には一端側の球状体より小さい球状体を一体に有し、人体の経穴に当接して身体活性化の刺激を与える鉱物素材から形成された固形体を一端側の前記球状体及び他端側の球状体のそれぞれ所望個所に設けてなる。
【００１０】
人体の経穴に当接して身体活性化の刺激を与える鉱物素材から形成された固形体はトルマリン石からなるのが好ましい。
【００１１】
人体の経穴に当接して身体活性化の刺激を与える鉱物素材から形成された固形体はチタンからなるのが好ましい。
【００１２】
人体の経穴に当接して身体活性化の刺激を与える鉱物素材から形成された固形体は磁石であるのが好ましい。
【００１３】
【発明の実施の形態】
以下図面に基づいて本発明の実施の形態について説明する。
図１は棒状軸部の一端側のみに球状体を設けてなる指圧具の全体斜視図、図２は固形体を球状体の頂面部と棒状軸部の先端に設けて示す縦断面図、図３は固形体を球状体の頂面及び横面位置と棒状軸部の先端に設けて示す縦断面図で、本発明の指圧具１Ａは、棒状軸部１を有し、この棒状軸部１の一端側に所望大きさの球状体２を一体に有し、人体の経穴に当接して身体活性化の刺激を与える鉱物素材から形成された固形体３を、前記球状体２の頂面部位置に、固形体３の一部が球状体２の表面に露呈するように埋め込み設置し、棒状軸部１の先端位置にも、固形体３の一部が棒状軸部１の先端面から露呈するように埋め込み設置することにより構成する。
なお、前記球状体１Ａは，頂面部位に加えて，図３に示すように、球状体２の横面位置にも固形体３を設けるのが好ましい。
【００１４】
人体の経穴に当接して身体活性化の刺激を与える鉱物素材から形成された固形体３は、トルマリン石からなるのが好ましい。
【００１５】
本発明の指圧具１Ａは、球状体２を長軸が約５０ｍｍの卵形に形成し、棒状軸部１の長さを略５０ｍｍとして全長約１００ｍｍ位の大きさに形成して、ハンドバックや小物入れに収めて外出のときに何処へでも持ち歩くことができるようにし、外出先の何処でも何時でも気軽に使用できるように形成するのが好ましい。
【００１６】
従って、本発明に係る指圧具１Ａの使用において、経穴を局所的に、強力に圧力を与える場合、又は、例えば指の付け根の指と指の間のような狭い個所を押圧する場合は棒状軸部１の先端で押圧し、経穴若しくは経穴の周囲を，広く大きく圧力を与える場合は球状体２の頂面部で押圧をする。そして、棒状軸部１の先端部及び球面体２の頂面部に設けたそれぞれの固形体３で経穴を押圧して刺激を与える。また、経穴の周囲をマッサージする場合は、球状体２の横面を転動させて押圧を与える。更に、棒状軸部１を軽く掴んで，球状体２で局所及びその周辺を軽く叩打して指圧を与えることも出来る。そして、球状体２の横面に設けた固形体３が刺激を与える。このように、本発明の指圧具１Ａは、棒状軸部１の先端及び球状体３により人体の様々な部位の経穴に対応して使い分け、しかも、押圧、叩打、マッサージ等に便利に使用することができる。
【００１７】
また、棒状軸部１の先端及び球状体２に設けられた固形体３であるトルマリン石は、極性結晶体で、マイナスイオンを発生し，遠赤外線を出すために、人体の経穴に当接した際に、経穴若しくはその周辺の皮膚にマイナスイオンの作用により細胞を活性化させ、遠赤外線は体を温めて血行を良くし，新陳代謝を活発にし、身体の疲れを癒し，疲労感を取り除いて細胞を元気にする働きをするので、指圧作用に加えてトルマリンのマイナスイオン及び遠赤外線作用による相乗効果により指圧効果を一層向上させることができる。しかも、トルマリン石は、金属ではないので，金属アレルギーを心配することなく使用することができる。
【００１８】
尚、人体の経穴に当接して身体活性化の刺激を与える鉱物素材から形成された固形体３は、トルマリン石に代えて、チタンからなる固形体を設置しても良い。チタンは、生体親和性がよく、イオン化傾向の強い金属なので、生体電流の乱れを整え、血行を促進し、肩こり、冷え性を和らげる作用をする。しかも、肌に対する金属アレルギーを心配することなく使用できる。
【００１９】
人体の経穴に当接して身体活性化の刺激を与える鉱物素材から形成された前記固形体３は、トルマリン石に代えて、磁石を設置しても良い。磁石は、磁気作用により血行を促進し、疲労を回復する効果を与える。
【００２０】
図４及び図５は、棒状軸部の両端に球状体を有する本発明の他の指圧具２Ａを示すもので、棒状軸部１の一端側に所望大きさの球状体２を一体に有し、他端側には一端側の球状体２より小さい球状体４を一体に有して形成し、前記固形体３を一端側の前記球状体２の頂面部又は横面部に埋め込み設置し、他端側の球状体４の先端頂面に固形体３を埋め込み設置して形成する。
また、図６に示すように、大型の球状体２の側面には、固形体３を設けることが好ましい。
尚、前記固形体３の一部が、球面体２又は４の表面に露呈するように設置すること勿論である。
【００２１】
この指圧具２Ａにおいて、大型の球状体２は、前記指圧具１Ａと同じく経穴若しくはその周辺を大きく広く指圧する場合、及び叩打、又は転動させてマッサージをする場合に適応し、小型の球状体４は、棒軸の先端で押す程の強力な指圧ではなく経穴の狭い部位を比較的に和らかく指圧する場合に適応する。
【００２２】
【発明の効果】
本発明は上記の構成になるので、本発明の指圧具は、経穴を局所的に強力に圧力を与える場合、経穴が比較的狭い個所を押圧する場合、又は、経穴若しくは経穴の周囲を，広く大きく圧力を与える場合、或いは、経穴の周囲をマッサージする場合等の人体の様々な部位の経穴に対応して、棒状軸部の先端又は球状体を使い分けて便利に使用することができる。しかも、本発明の指圧具は、全長約１００ｍｍ位の大きさなので、ハンドバックや小物入れに収めて外出時に何処へでも持ち歩くことができ、そして、外出先の何処でも何時でも気軽に使用できる。更に、本発明の指圧具は、指圧による作用に加えて、球状体及び棒軸部に設けたトルマリンや、チタン又は磁石から発生する刺激を受ける相乗効果みより血行促進効果を付加し、指圧効果を一層向上させることができる等の効果を奏する。
【図面の簡単な説明】
【図１】棒状軸部の一端側のみに球状体を設けて示す指圧具の斜視図である．
【図２】球面体の頂面部及び棒状軸部の先端に固形体を設けて示す指圧具の縦断面図である。
【図３】球面体の頂面部と横面部及び棒状軸部の先端に固形体を設けて示す指圧具の縦断面図である。
【図４】棒状軸部の両端に大小異なる球状体を設けて示す他の指圧具の斜視図である。
【図５】大小異なる球状体のそれぞれの先端部に固形体を設けて示す図４の指圧具の縦断面図である。
【図６】大型の球状体の頂面部及び横面部に固形体を設けて示す図５の指圧具の縦断面図である。
【符号の説明】
１Ａ　　指圧具
２Ａ　　指圧具
１　　　棒状軸部
２　　　球状体
３　　　固形体
４　　　球状体
【図１】
2004033339.tif 000003
【図２】
2004033339.tif 000004
【図３】
2004033339.tif 000005
【図４】
2004033339.tif 000006
【図５】
2004033339.tif 000007
【図６】
2004033339.tif 000008